(57)【特許請求の範囲】
【請求項１】
エレベーターの制御装置に接続され、かごあるいは乗場に設置されるエレベーターの操作盤であって、
画面に触れることにより複数の画面に切り替え可能なタッチパネルを有し、該タッチパネルは、
行先階登録、開戸、閉戸等の通常操作をするボタンが現れる通常画面と、
任意の文字を入力できるボタンが現れる文字入力画面を有するエレベーターの操作盤において、
上記文字入力画面にて入力された文字が表示される文字表示画面をさらに有し、外部と文字通信が可能である
ことを特徴とするエレベーターの操作盤。
【請求項２】
エレベーターの制御装置に接続され、かごあるいは乗場に設置されるエレベーターの操作盤であって、
画面に触れることにより複数の画面に切り替え可能なタッチパネルを有し、該タッチパネルは、
行先階登録、開戸、閉戸等の通常操作をするボタンが現れる通常画面と、
任意の文字を入力できるボタンが現れる文字入力画面を有するエレベーターの操作盤において、
エレベーターの異常時には、上記文字入力画面に自動的に切り替わる
ことを特徴とするエレベーターの操作盤。
【請求項３】
エレベーターの制御装置に接続され、かごあるいは乗場に設置されるエレベーターの操作盤であって、
画面に触れることにより複数の画面に切り替え可能なタッチパネルを有し、該タッチパネルは、
行先階登録、開戸、閉戸等の通常操作をするボタンが現れる通常画面と、
任意の文字を入力できるボタンが現れる文字入力画面を有するエレベーターの操作盤において、
上記文字入力画面にて入力された文字が表示される文字表示画面をさらに有し、外部と文字通信が可能であり、
エレベーターの異常時には、上記文字入力画面に自動的に切り替わる
ことを特徴とするエレベーターの操作盤。
【請求項４】
上記任意の文字を入力できるボタンは、５０音キー、アルファベットキー、あるいはテンキーである
ことを特徴とする請求項１から３のいずれかに記載のエレベーターの操作盤。
【請求項５】
上記ボタンには、文字あるいは数字が複数表示され、モードを切り替えることにより、表示されている文字あるいは数字のいずれかが入力される
ことを特徴とする請求項１から３のいずれかに記載のエレベーターの操作盤。
【請求項６】
デパート等に設置されるエレベーターの操作盤であって、
商品名を入力すると、該商品の売場階床が登録される
ことを特徴とする請求項１から５のいずれかに記載のエレベーターの操作盤。
【請求項７】
病院等に設置されるエレベーターの操作盤であって、
入院している患者名を入力すると、該患者の部屋の階床が登録される
ことを特徴とする請求項１から５のいずれかに記載のエレベーターの操作盤。
【発明の詳細な説明】
【０００１】
【発明の属する技術分野】
この発明は、タッチパネルを利用したエレベーターの操作盤に関し、特にモードを切り替えることによって、任意の文字を入力できることが可能なエレベーターの操作盤に関するものである。
【０００２】
【従来の技術】
タッチパネルを利用したエレベーターの操作盤においては、従来、例えば、特開平６−１４４７２６号公報に開示されているものがある。この種の操作盤においては、パネルのディスプレイを指でタッチして画面を切り替え、所定の入力をするものであった。そして、各画面では、メニューが表示され、利用者はメニューから選択して入力するものであった。
【０００３】
【発明が解決しようとする課題】
このような構成の従来のエレベーターの操作盤においては、各画面がメニュー表示であるので、予め容易された固定の操作及び固定の入力しかすることができなかった。
【０００４】
この発明は、上述のような課題を解決するためになされたもので、任意の文字を入力できることが可能なエレベーターの操作盤を得ることを目的とする。
【０００５】
【課題を解決するための手段】
この発明に係るエレベーターの操作盤は、エレベーターの制御装置に接続され、かごあるいは乗場に設置されるエレベーターの操作盤であって、画面に触れることにより複数の画面に切り替え可能なタッチパネルを有し、タッチパネルは、行先階登録、開戸、閉戸等の通常操作をするボタンが現れる通常画面と、任意の文字を入力できるボタンが現れる文字入力画面を有する。
また、任意の文字を入力できるボタンは、５０音キー、アルファベットキー、あるいはテンキーである。
また、ボタンには、文字あるいは数字が複数表示され、モードを切り替えることにより、表示されている文字あるいは数字のいずれかが入力される。
また、文字入力画面にて入力された文字が表示される文字表示画面をさらに有し、外部と文字通信が可能である。
また、エレベーターの異常時には、文字入力画面に自動的に切り替わる。
また、デパート等に設置されるエレベーターの操作盤であって、商品名を入力すると、商品の売場階床が登録される。
さらに、病院等に設置されるエレベーターの操作盤であって、入院している患者名を入力すると、患者の部屋の階床が登録される。
【０００６】
【発明の実施の形態】
実施例１．
図１は本発明のエレベーターの操作盤の正面図であり、タッチパネルに文字入力画面が表示されている様子を示す図である。図１において、１は乗場あるいはかごの操作盤１００に取付けられたタッチパネルの全体、２は入力する文字や数字を表示する文字入力画面としてのキーボード表示部、３はキーボード表示部２で押された文字や数字、その他メッセージ等を表示する文字表示画面としてのメッセージ表示領域、４は各種画像を表示する画像表示領域、５はかごの方向と位置を表示するインジケーター、６はキーボード表示部２のキーボード表示を切替えるためのモード切替えボタンである。操作盤１００は、エレベーターの乗場あるいはかご内に設置され、操作盤１００の操作はすべてタッチパネル１によって行われる。
【０００７】
図２は乗場操作盤１００とかご操作盤１００及びエレベーターの制御盤（制御装置）２００と監視センター等３００との接続を示すブロック図である。
【０００８】
通常時には、図３又は図４に示されるように、行先階登録、開戸、閉戸等の通常操作をするボタンが現れる通常画面が表示されている。この通常画面には、テンキーや普通の行先階登録用ボタンが表示されている。利用者は、この画面から行先階登録、開戸、閉戸等の通常操作をする。そして、モード切替えボタン６を押すことで図１、図３、図４及び図５の画面の切替えをすることができる。
【０００９】
一方、例えばエレベーターが故障した等の異常時には、モード切替えボタン６を押さなくても自動的に図１の画面に切り替わる。そして、例えば聾唖者や言語障害者の利用者は、キーボード表示部２のキーを自分で入力して、文字をメッセージとして、監視センター等３００に送信することができる。そのため、利用者が聾唖者や言語障害者であっても、かご内と乗場、管理人室、監視センターと文字通信が可能となり、例えば救出時にかご内の状態をしゃべることができなくても的確に伝えることができる。
【００１０】
また、デパート等に設置されるエレベーターの操作盤においては、タッチパネル１を図１に示すものに切り替え、自分が購入したい商品名を入力するとその階床が自動で登録されたり、さらには、病院等に設置されるエレベーターの操作盤においては、病院で面会したい患者の名前を入力するとその階床が自動で登録されたりなど用途は多岐に渡る。
【００１１】
実施例２．
図６は本発明のエレベーターの操作盤の他の例を示す正面図であり、ボタンを拡大した様子を示す図である。本実施例の操作盤１０１においては、文字入力画面としてのキーボード表示部２の各キーに、複数の機能を持たせ、キーの数を減らしている。
【００１２】
本実施例のタッチパネル１に表示されるキーボード表示部２に関し、実施例１では、５０音の全てやアルファベットの全てを表示していたが、本実施例では、１つのボタンで文字と数字を複数表示できるようにしている。そして、モード切替えボタン６により、モードを切り替えることにより、表示されている文字あるいは数字のいずれかが入力される。
【００１３】
このような構成のエレベーターの操作盤とすることで、表示ボタン数を削減することができ、タッチパネル１のサイズを小さくすることができる。これによりエレベーターの袖壁など設置幅が狭い所でも本装置を設置できるなど、設置位置の制約がなくなる。
【００１４】
【発明の効果】
この発明に係るエレベーターの操作盤は、エレベーターの制御装置に接続され、かごあるいは乗場に設置されるエレベーターの操作盤であって、画面に触れることにより複数の画面に切り替え可能なタッチパネルを有し、タッチパネルは、行先階登録、開戸、閉戸等の通常操作をするボタンが現れる通常画面と、任意の文字を入力できるボタンが現れる文字入力画面を有する。そのため、かご内と乗場、管理人室、監視センターと文字通信が可能となり、利用者が例えば聾唖者や言語障害者であってかご内の状態をしゃべることができなくても的確に伝えることができる。
【００１５】
また、任意の文字を入力できるボタンは、５０音キー、アルファベットキー、あるいはテンキーである。そのため、文字入力を容易に行うことができる。
【００１６】
また、ボタンには、文字あるいは数字が複数表示され、モードを切り替えることにより、表示されている文字あるいは数字のいずれかが入力される。そのため、表示ボタン数を削減することができ、操作盤のサイズを小さくすることができる。
【００１７】
また、文字入力画面にて入力された文字が表示される文字表示画面をさらに有し、外部と文字通信が可能である。そのため、利用者は、自分が入力した文字を確認することができ、操作性が向上する。そしてさらに、外部と文字通信が可能となる。
【００１８】
また、エレベーターの異常時には、文字入力画面に自動的に切り替わる。そのため、すぐに文字入力をすることができ安全性が向上する。
【００１９】
また、デパート等に設置されるエレベーターの操作盤であって、商品名を入力すると、商品の売場階床が登録される。そのため、利用者は、商品の売場階を知らなくても階床を登録することができ便利である。
【００２０】
さらに、病院等に設置されるエレベーターの操作盤であって、入院している患者名を入力すると、患者の部屋の階床が登録される。そのため、利用者は、面会したい患者の部屋の階床を知らなくても階床を登録することができ便利である。
【図面の簡単な説明】
【図１】本発明のエレベーターの操作盤の正面図であり、タッチパネルに５０音の文字入力画面が表示されている様子を示す図である。
【図２】乗場操作盤、かご操作盤、エレベーターの制御盤（制御装置）、及び監視センター等との接続を示すブロック図である。
【図３】通常操作をするボタンが現れる通常画面を示す図である。
【図４】通常操作をするボタンが現れる通常画面の他の例を示す図である。
【図５】タッチパネルにアルファベットの文字入力画面が表示されている様子を示す図である。
【図６】本発明のエレベーターの操作盤の他の例を示す正面図であり、ボタンを拡大した様子を示す図である。
【図１】
0004675544.tif 000002
【図２】
0004675544.tif 000003
【図３】
0004675544.tif 000004
【図４】
0004675544.tif 000005
【図５】
0004675544.tif 000006
【図６】
0004675544.tif 000007